【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
外部の記録装置から、前記外部の記録装置に記録されている画像データと前記画像データに関するリストを受信する通信手段と、
前記通信手段が受信した画像データを記録媒体に記録する記録手段と、
前記記録手段が記録した画像データに関するリストを生成する生成手段と、
前記通信手段が受信したリストと前記生成手段により生成されたリストとに基づいて、前記外部の記録装置に対して前記外部の記録装置に記録されている画像データの送信を要求する制御手段とを備えることを特徴とする通信装置。
【請求項２】
前記制御手段は、前記通信手段が受信したリストと前記生成手段により生成されたリストとに基づいて、前記外部の記録装置に記録されている画像データのうち前記記録媒体に記録されていない画像データを判別し、前記記録媒体に記録されていない画像データの送信を前記外部の記録装置に要求することを特徴とする請求項１に記載の通信装置。
【請求項３】
前記制御手段は、前記外部の記録装置に記録されている画像データのうち、前記記録媒体に記録されていない画像データのリストを前記外部の記録装置に送信するよう前記通信手段を制御することを特徴とする請求項１又は２に記載の通信装置。
【請求項４】
外部の記録装置から、前記外部の記録装置に記録されている音声データと前記音声データに関するリストを受信する通信手段と、
前記通信手段が受信した音声データを記録媒体に記録する記録手段と、
前記記録手段が記録した音声データに関するリストを生成する生成手段と、
前記通信手段が受信したリストと前記生成手段により生成されたリストとに基づいて、前記外部の記録装置に対して前記外部の記録装置に記録されている音声データの送信を要求する制御手段とを備えることを特徴とする通信装置。
【請求項５】
前記制御手段は、前記通信手段が受信したリストと前記生成手段により生成されたリストとに基づいて、前記外部の記録装置に記録されている音声データのうち前記記録媒体に記録されていない音声データを判別し、前記記録媒体に記録されていない音声データの送信を前記外部の記録装置に要求することを特徴とする請求項４に記載の通信装置。
【請求項６】
前記制御手段は、前記外部の記録装置に記録されている音声データのうち、前記記録媒体に記録されていない音声データのリストを前記外部の記録装置に送信するよう前記通信手段を制御することを特徴とする請求項４又は５に記載の通信装置。
【請求項７】
前記通信手段は、無線通信により前記外部の記録装置と通信を行うことを特徴とする請求項１乃至６のいずれか１項に記載の通信装置。
【請求項８】
外部の記録装置から、前記外部の記録装置に記録されている画像データと前記画像データに関するリストを受信する通信手段と、
前記通信手段が受信した画像データを記録媒体に記録する記録手段とを備える通信装置の制御方法であって、
前記記録手段が記録した画像データに関するリストを生成し、前記通信手段が受信したリストと前記生成したリストとに基づいて、前記外部の記録装置に対して前記外部の記録装置に記録されている画像データの送信を要求することを特徴とする通信装置の制御方法。
【請求項９】
前記通信手段が受信したリストと前記生成したリストとに基づいて、前記外部の記録装置に記録されている画像データのうち前記記録媒体に記録されていない画像データを判別し、前記記録媒体に記録されていない画像データの送信を前記外部の記録装置に要求することを特徴とする請求項８に記載の通信装置の制御方法。
【請求項１０】
前記外部の記録装置に記録されている画像データのうち、前記記録媒体に記録されていない画像データのリストを前記外部の記録装置に送信するよう前記通信手段を制御することを特徴とする請求項８又は９に記載の通信装置の制御方法。
【請求項１１】
外部の記録装置から、前記外部の記録装置に記録されている音声データと前記音声データに関するリストを受信する通信手段と、
前記通信手段が受信した音声データを記録媒体に記録する記録手段とを備える通信装置の制御方法であって、
前記記録手段が記録した音声データに関するリストを生成し、前記通信手段が受信したリストと前記生成したリストとに基づいて、前記外部の記録装置に対して前記外部の記録装置に記録されている音声データの送信を要求することを特徴とする通信装置の制御方法。
【請求項１２】
前記通信手段が受信したリストと前記生成したリストとに基づいて、前記外部の記録装置に記録されている音声データのうち前記記録媒体に記録されていない音声データを判別し、前記記録媒体に記録されていない音声データの送信を前記外部の記録装置に要求することを特徴とする請求項１１に記載の通信装置の制御方法。
【請求項１３】
前記外部の記録装置に記録されている音声データのうち、前記記録媒体に記録されていない音声データのリストを前記外部の記録装置に送信するよう前記通信手段を制御することを特徴とする請求項１１又は１２に記載の通信装置の制御方法。
【請求項１４】
外部の記録装置から、前記外部の記録装置に記録されている画像データと前記画像データに関するリストを受信する通信手段と、
前記通信手段が受信した画像データを記録媒体に記録する記録手段と、
前記記録手段が記録した画像データに関するリストを生成する生成手段と、
前記通信手段が受信したリストと前記生成手段が生成したリストとに基づいて、前記外部の記録装置に対して前記外部の記録装置において記録されている画像データの送信を要求する制御手段としてコンピュータを機能させるためのプログラムを記憶するコンピュータ読み取り可能な記憶媒体。
【請求項１５】
前記制御手段が、前記通信手段が受信したリストと前記生成手段により生成されたリストとに基づいて、前記外部の記録装置に記録されている画像データのうち前記記録媒体に記録されていない画像データを判別し、前記記録媒体に記録されていない画像データの送信を前記外部の記録装置に要求するようにコンピュータを機能させるためのプログラムを記憶する請求項１４に記載のコンピュータ読み取り可能な記憶媒体。
【請求項１６】
前記外部の記録装置に記録されている画像データのうち、前記記録媒体に記録されていない画像データのリストを前記外部の記録装置に送信するよう前記通信手段を制御するようにコンピュータを機能させるためのプログラムを記憶したことを特徴とする請求項１４又は１５に記載のコンピュータ読み取り可能な記憶媒体。
【請求項１７】
外部の記録装置から、前記外部の記録装置に記録されている音声データと前記音声データに関するリストを受信する通信手段と、
前記通信手段が受信した音声データを記録媒体に記録する記録手段と、
前記記録手段が記録した音声データに関するリストを生成する生成手段と、
前記通信手段が受信したリストと前記生成手段が生成したリストとに基づいて、前記外部の記録装置に対して前記外部の記録装置において記録されている音声データの送信を要求する制御手段としてコンピュータを機能させるためのプログラムを記憶するコンピュータ読み取り可能な記憶媒体。
【請求項１８】
前記制御手段が、前記通信手段が受信したリストと前記生成手段により生成されたリストとに基づいて、前記外部の記録装置に記録されている音声データのうち前記記録媒体に記録されていない音声データを判別し、前記記録媒体に記録されていない音声データの送信を前記外部の記録装置に要求するようにコンピュータを機能させるためのプログラムを記憶する請求項１７に記載のコンピュータ読み取り可能な記憶媒体。
【請求項１９】
前記外部の記録装置に記録されている音声データのうち、前記記録媒体に記録されていない音声データのリストを前記外部の記録装置に送信するよう前記通信手段を制御するようにコンピュータを機能させるためのプログラムを記憶したことを特徴とする請求項１７又は１８に記載のコンピュータ読み取り可能な記憶媒体。
【手続補正２】
【補正対象書類名】明細書
【補正対象項目名】発明の名称
【補正方法】変更
【補正の内容】
【発明の名称】通信装置、その制御方法及びコンピュータ読み取り可能な記憶媒体
【手続補正３】
【補正対象書類名】明細書
【補正対象項目名】０００１
【補正方法】変更
【補正の内容】
【０００１】
本発明は、通信装置、その制御方法及びコンピュータ読み取り可能な記憶媒体に関する。
【手続補正４】
【補正対象書類名】明細書
【補正対象項目名】００１３
【補正方法】変更
【補正の内容】
【００１３】
本発明の通信装置は、外部の記録装置から、前記外部の記録装置に記録されている画像データと前記画像データに関するリストを受信する通信手段と、前記通信手段が受信した画像データを記録媒体に記録する記録手段と、前記記録手段が記録した画像データに関するリストを生成する生成手段と、前記通信手段が受信したリストと前記生成手段により生成されたリストとに基づいて、前記外部の記録装置に対して前記外部の記録装置に記録されている画像データの送信を要求する制御手段とを備えることを特徴とする。
本発明の通信装置は、外部の記録装置から、前記外部の記録装置に記録されている音声データと前記音声データに関するリストを受信する通信手段と、前記通信手段が受信した音声データを記録媒体に記録する記録手段と、前記記録手段が記録した音声データに関するリストを生成する生成手段と、前記通信手段が受信したリストと前記生成手段により生成されたリストとに基づいて、前記外部の記録装置に対して前記外部の記録装置に記録されている音声データの送信を要求する制御手段とを備えることを特徴とする。
本発明の通信装置の制御方法は、外部の記録装置から、前記外部の記録装置に記録されている画像データと前記画像データに関するリストを受信する通信手段と、前記通信手段が受信した画像データを記録媒体に記録する記録手段とを備える通信装置の制御方法であって、前記記録手段が記録した画像データに関するリストを生成し、前記通信手段が受信したリストと前記生成したリストとに基づいて、前記外部の記録装置に対して前記外部の記録装置に記録されている画像データの送信を要求することを特徴とする。
本発明の通信装置の制御方法は、外部の記録装置から、前記外部の記録装置に記録されている音声データと前記音声データに関するリストを受信する通信手段と、前記通信手段が受信した音声データを記録媒体に記録する記録手段とを備える通信装置の制御方法であって、前記記録手段が記録した音声データに関するリストを生成し、前記通信手段が受信したリストと前記生成したリストとに基づいて、前記外部の記録装置に対して前記外部の記録装置に記録されている音声データの送信を要求することを特徴とする。
本発明のコンピュータ読み取り可能な記憶媒体は、外部の記録装置から、前記外部の記録装置に記録されている画像データと前記画像データに関するリストを受信する通信手段と、前記通信手段が受信した画像データを記録媒体に記録する記録手段と、前記記録手段が記録した画像データに関するリストを生成する生成手段と、前記通信手段が受信したリストと前記生成手段が生成したリストとに基づいて、前記外部の記録装置に対して前記外部の記録装置において記録されている画像データの送信を要求する制御手段としてコンピュータを機能させるためのプログラムを記憶する。
本発明のコンピュータ読み取り可能な記憶媒体は、外部の記録装置から、前記外部の記録装置に記録されている音声データと前記音声データに関するリストを受信する通信手段と、前記通信手段が受信した音声データを記録媒体に記録する記録手段と、前記記録手段が記録した音声データに関するリストを生成する生成手段と、前記通信手段が受信したリストと前記生成手段が生成したリストとに基づいて、前記外部の記録装置に対して前記外部の記録装置において記録されている音声データの送信を要求する制御手段としてコンピュータを機能させるためのプログラムを記憶する。